(57)【要約】【課題】  撮影目的に計測要素を含む撮影において、被写体を動かすことなく全方向から撮影することを可能とし、かつカメラの位置決めの自由度を確保する被写体スタンドを提供することを課題とする。【解決手段】  支持台１上に立脚する支持脚２に、ホルダー５によってアーム６を上下動可能に支持し、アーム６には被写体台３を組み込み、前記支持脚２であって被写体台３の上下に、反射鏡保持部材７Ａ，７Ｂにより上下動可能かつ角度可変に反射鏡４Ａ，４Ｂを支持する。カメラは反射鏡４Ａ，４Ｂに映る被写体Ｐの像を撮影することで、被写体Ｐを全方向から撮影することができる。この際、被写体Ｐと反射鏡４Ａ，４Ｂ間の距離を調節して反射鏡４Ａ，４Ｂに映る撮影部位の位置及び大きさを調整できる。また、反射鏡４Ａ，４Ｂの角度調整により撮影ポジションの自由度が確保される。【選択図】      図１
2005241668.tif 000002
【特許請求の範囲】
【請求項１】
支持台上に立脚する支持脚と、該支持脚にホルダーを介して上下動可能に支持されたアームと、該アームに組み込まれた透明材からなる被写体台と、該被写体台の上下に位置し、前記支持脚に反射鏡保持部材によって上下動可能かつ角度可変に支持された反射鏡を有することを特徴とする、被写体スタンド。
【請求項２】
前記ホルダー及び反射鏡保持部材は、前記支持脚と平行する位置に配設された連結棒により、位置調整可能に連結されていることを特徴とする、請求項１記載の被写体スタンド。
【請求項３】
前記被写体台が水平方向に３６０度回転可能であるようにアームに組み込まれたことを特徴とする、請求項１又は請求項２記載の被写体スタンド。
【請求項４】
前記連結棒における前記被写体台の上方に配置した前記反射鏡保持部材とアームを支持するホルダーとの間にコイルバネを設けたことを特徴とする、請求項２又は請求項３記載の被写体スタンド。
【発明の詳細な説明】
【技術分野】
【０００１】
本発明は、デジタル撮影を主とした、撮影目的に計測要素を含む撮影を、被写体を動かすことなく全方向から行うための被写体スタンドに関する。
【背景技術】
【０００２】
従来、被写体上部の撮影を容易にするため、載置台の上方に反射鏡を備えた写真撮影台が用いられている（例えば、特許文献１参照。）。この写真撮影台は、枠体状の支持部材、同支持部材の上部に配設された被写体載置用置台、及び同被写体載置用置台よりも上方に配置され、ほぼ４５度に傾斜して支持された反射鏡から構成されている。この撮影台によれば、反射鏡に映る被写体の像に向けてカメラの位置を決定することにより、天井の高いスペースを確保しなくとも、被写体の上部を撮影することができる。
【０００３】
【特許文献１】特開平９−１２３４７２号公報（段落[０００５]，[００１２]，第５図）
【発明の開示】
【発明が解決しようとする課題】
【０００４】
しかしながら、上記のような写真撮影台は、被写体の上部を撮影する場合において、カメラを被写体の位置よりも高い位置にセットしなければならないという不都合を回避するためのものだった。したがって、反射鏡は撮影台の上部に配置されるが、その高さは固定されており、また、角度もほぼ４５度で予め固定されていた。この撮影台によって撮影を行う際には、被写体は撮影台のスクリーン部材の上に直接載置され、カメラはその前方に置かれる。したがって、被写体によってカメラの位置決めは限定され、特に高さのある被写体を撮影する場合は、カメラと被写体の距離を大きくとる必要が生じ、狭い場所での撮影ができないという不都合があった。
【０００５】
また、被写体と反射鏡間の距離を調節することができないので、被写体の大きさによって反射鏡に映る撮影部位の大きさが異なる。このため、複数の異なる被写体の共通する部位を撮影した場合に、共通する撮影部位を同じ大きさで比較することができないという不都合があった。また、計測要素を含む撮影において所定の大きさで撮影したい場合でも、撮影者が被写体と反射鏡の間隔を調節することによりそれを行うことはできなかった。さらに、特に高さのある被写体では、被写体が撮影台と反射鏡の間の空間に収まらないという不都合がある。
【０００６】
また、被写体台の上方に配置された反射鏡は、被写体の上部を撮影する場合においては効果を発揮するが、被写体の裏側や底面を撮影したい場合、撮影したい部位が被写体上部に位置する反射鏡に映るよう、被写体自体を動かす必要があった。計測目的で撮影を行う場合は、全方向からの撮影が必要となるが、上記のような撮影台では、被写体を裏返さなければその底面を撮影することができない。しかし、被写体によっては、美術的に価値が高い、破損し易い等の理由により、裏返して置くことができない場合がある。また、裏返して置くためには安定感が悪く、被写体台上で別途支えになる機器が必要になり、これが撮影の妨げになる場合がある、という問題もあった。
【０００７】
また、被写体を撮影する際に、被写体自体を裏返す等して動かした場合は、撮影者が改めてカメラの位置、方向、ズーム、絞り、照明等の各種機器の調整を行なわなければならない。被写体の形状、大きさ、材質、色調等が多岐にわたる場合、それに応じた各種機器の調整作業は煩雑である。このため、一つの被写体の撮影箇所が前面画像・正面画像・上面画像・底面画像の４画像あるいはそれ以上ある場合や、撮影する被写体の数が多い場合には、被写体を動かす毎に各種機器の調整を行う必要があり、非常に多くの時間と手間を要した。したがって、撮影を速やかに効率よく行うためには、被写体を動かすことなく全方向から撮影できることが望ましい。
【０００８】
そこで、本発明は、デジタル撮影を主とした撮影目的に計測要素を含む撮影において、被写体を動かすことなく全方向から撮影することを可能とし、かつカメラの位置決めの自由度を確保する被写体スタンドを提供する。
【課題を解決するための手段】
【０００９】
上記課題を解決するため、請求項１記載の発明は、支持台上に立脚する支持脚と、該支持脚にホルダーを介して上下動可能に支持されたアームと、該アームに組み込まれた透明材からなる被写体台と、該被写体台の上下に位置し、前記支持脚に反射鏡保持部材によって上下動可能かつ角度可変に支持された反射鏡を有することを特徴とする。
【００１０】
請求項２記載の発明は、前記ホルダー及び反射鏡保持部材は、前記支持脚と平行する位置に配設された連結棒により、位置調整可能に連結されていることを特徴とする。
【００１１】
請求項３記載の発明は、前記被写体台が水平方向に３６０度回転可能であるようにアームに組み込まれたことを特徴とする。
【００１２】
請求項４記載の発明は、前記連結棒における前記被写体台の上方に配置した前記反射鏡保持部材とアームを支持するホルダーとの間にコイルバネを設けたことを特徴とする。
【発明の効果】
【００１３】
請求項１記載の発明によれば、一度セットした被写体に手を触れずに全方向から撮影することができる。すなわち、被写体の裏側や底面を撮影したい場合でも、被写体台が透明となっているので、被写体自体を動かす必要はなく、被写体台上下に配設した反射鏡により、被写体を全方向から撮影することができる。反射鏡は角度可変であり、被写体をあらゆる方向から撮影することができる。特に、角度が上下各々４５度の場合、被写体の直上、直下からカメラの撮影レンズ光軸をおいた場合と同じ状態になる。
【００１４】
また、被写体と反射鏡間の距離を調節することができるので、被写体の大きさが異なる場合でも反射鏡に映る撮影部位の大きさを調整することができる。このため、例えば複数の異なる被写体の共通する部位を撮影した場合に、共通する撮影部位を同じ大きさで比較することができる。また、計測要素を含む撮影において、撮影者が被写体と反射鏡の間隔を調節することにより、所定の大きさで撮影することができる。さらに、高さのある被写体であっても、反射鏡が上下動できることから、撮影者が反射鏡と被写体台との間の距離を広げて両者を固定し、被写体を被写体スタンドに置くことができる。この際、反射鏡が角度可変であることから、被写体に殆ど高さがない場合は、反射鏡の角度をほぼ４５度とすれば、被写体の上面及び底面を直上又は直下から撮影したのと同じ状態で撮影することができる。また、被写体に高さがある場合は、反射鏡の被写体台に対する角度を４５度より大きくすることで、被写体を斜めからとらえた像を上下いずれか又は双方の反射鏡に映し、カメラによって撮影することができる。
【００１５】
また、被写体自体を動かすことなく全方向を撮影することができるので、被写体を取り替える場合や被写体の撮影部位を変更する場合でも、撮影者は被写体スタンドの操作を行うのみで、カメラの位置、方向、ズーム、絞り、照明等の各種機器の調整を行う必要はない。このため、被写体の形状、大きさ等が多岐にわたる場合でも、それに応じた各種機器の調整作業を行う必要はなく、撮影準備は容易である。また、一つの被写体の撮影箇所が前面画像・正面画像・上面画像・底面画像の４画像あるいはそれ以上ある場合や、撮影する被写体の数が多い場合でも、各種機器の調整による時間と手間を省き、効率のよい撮影を行うことができる。
【００１６】
さらに、被写体台を上下動することによって被写体の位置が調節できるため、カメラの位置決めを容易に行うことができる。また、反射鏡の角度を調整することにより、カメラ側のパンニングとあいまって、カメラの撮影レンズ位置の限定をすることなく、撮影ポジションの自由度が確保される。
【００１７】
請求項２記載の発明によれば、前記ホルダー及び反射鏡保持部材が、前記支持脚と平行する位置に設けた連結棒により、位置調整可能に連結されていることから、被写体台と反射鏡を連結棒に固定して両者の距離を一定に保ちつつ、支持脚の上下方向に動かして撮影位置の調整を行うことができる。また、上方の反射鏡と被写体台を固定して被写体の床からの高さを調整したい場合、下方の反射鏡と被写体台を固定して高さを調整したい場合も同様である。
【００１８】
請求項３記載の発明によれば、被写体台が３６０度回転可能であることから、被写体を動かすことなく、被写体を全ての方向から撮影することが可能となる。
【００１９】
請求項４記載の発明によれば、被写体台上方の反射鏡の上下動において、反射鏡保持部材により保持する前に手を離すなどの操作ミスによって反射鏡が落下したとしても、載置台上部の反射鏡下にコイルバネを配してあるため、反射鏡が被写体又は被写体台に衝突することなく、被写体及び反射鏡の破損を回避することができる。
【発明を実施するための最良の形態】
【００２０】
本発明では、測定等を目的としたカメラによる撮影において、アーム６に組み込まれた被写体台３に被写体Ｐを載置し、反射鏡４Ａ，４Ｂに映る被写体Ｐの像が被写体スタンド前方に配置したカメラに導かれるように、撮影者が被写体台又は反射鏡４Ａ，４Ｂの高さ、及び反射鏡４Ａ，４Ｂの角度を調節して撮影を行う。このようにして、被写体台下方の反射鏡４Ｂに映る像を撮影することにより、被写体Ｐを裏返すことなくその底面を撮影することができる。この場合において、被写体台３は透明部材からなるため、被写体Ｐの像が被写体台下方の反射鏡４Ｂに投影される。また、被写体台３を回転させることにより、被写体Ｐ又はカメラの位置を動かすことなく被写体を全方向から撮影することができる。
【００２１】
図１は、本発明の被写体スタンド及びその前方にカメラを設置した状態を表す図面である。
【００２２】
支持脚２は横方向に延びる支持台１の一部上に立脚している。この支持台１にキャスター１Ａを付けることによって、カメラとの間の位置決めの自由度を確保することができる。支持脚２の中間部にはアーム６のホルダー５が上下動及び固定自在に取り付けられ、その上下に反射鏡保持部材７Ａ，７Ｂが取り付けられる。アーム６のホルダー５及び反射鏡保持部材７Ａ，７Ｂは支持脚２を貫通することができる開口部を設けて支持脚２に通すか、又は開口部を設けた上で二以上の部品にわけ、支持脚２を挟む等して取り付ける。この際、ホルダー５及び反射鏡保持部材７Ａ，７Ｂの開口部の径を支持脚２の径よりやや大きくする等して、ホルダー５及び反射鏡保持部材７Ａ，７Ｂを支持脚２上で上下動可能にしておく。さらに、ネジ等によって所定の位置に固定できるようにする。なお、支持脚２は円柱状のものでもよいし、角柱状のものでもよい。角柱状であれば、それに取り付けられるホルダー５や反射鏡保持部材７Ａ，７Ｂも角筒状にしておく必要がある。
【００２３】
ホルダー５に設けられたフック５Ａと、被写体台３の上下に位置する反射鏡保持部材７Ａ，７Ｂの一側端とは、前記支持脚２に平行に配置された連結棒１０を介して連結され、ネジ等によって所定の位置に固定できるようにされている。フック５Ａ及び反射鏡保持部材７Ａ，７Ｂには連結棒１０を貫通することができる開口部を設ける。この際、前記開口部の径を連結棒１０の径よりやや大きくする等して、フック５Ａ及び反射鏡保持部材７Ａ，７Ｂを支持脚２上で上下動可能にしておく。さらに、ネジ等によって所定の位置に固定できるようにする。このような構成により、フック５Ａ及び反射鏡保持部材７Ａ，７Ｂを支持脚２から外した状態でも、両者を前記連結棒１０で固定しておけば、その位置関係を保ったままで、支持脚２において上下動させることが可能となる。これにより、位置調整の際の撮影者の疲労を軽減することができる。
【００２４】
被写体台３は、ホルダー５から支持脚２と垂直方向に向って突出するアーム６に支持されており、水平方向に回転自在となっている。例えば、アーム６に内溝付の円形状孔を設け、円盤状の被写体台３を置くと、アーム６上で被写体台３を水平方向に回転させることができる。この被写体スタンドによれば、被写体台３に載置した被写体Ｐを３６０度回転させ、全方向から撮影することが可能となる。この構成によれば、被写体Ｐ底面で反射した光が被写体台３又はアーム６に妨げられることなく、被写体Ｐ底面の像を被写体台３下方の反射鏡４Ｂに映すことができ、カメラは反射鏡４Ｂの像を撮影することにより、被写体Ｐ自体を裏返すことなく被写体Ｐの底面を撮影できる。また、上記構成の他、アーム６を透明部材で作成し、アーム６上面に円形の溝を設け、該溝よりやや径を小さくした円形の、透明部材からなる被写体台３を上記溝に置くこともできる。いずれにしても、被写体台３又はアーム６が被写体Ｐから反射鏡４Ｂへの透光を妨げない構成とする。なお、アーム６を板状体で構成した場合は、被写体台３と同じような透明部材とする必要がある。
【００２５】
反射鏡保持部材７Ａ，７Ｂは、反射鏡４Ａ，４Ｂの基端部を支持しており、反射鏡保持部材７Ａ，７Ｂに対する反射鏡４Ａ，４Ｂの回動により、支持脚２に対する反射鏡４Ａ，４Ｂ角度を可変できるようにしている。この角度調整により、被写体Ｐ自体を動かすことなく、反射鏡４Ａ，４Ｂに映る撮影部位を変えることができる。この反射鏡４Ａ，４Ｂはホルダー５の上下に位置し、各先端部は被写体台３の上方及び下方を覆う位置迄延在している。この上下一対の反射鏡４Ａ，４Ｂにより、被写体Ｐの上面のみならず底面をも映すことができる。また、反射鏡４Ａ，４Ｂはホルダー５の移動に伴って上下動させることができ、これにより、特に高さのある被写体でも被写体台３と反射鏡４Ａ，４Ｂの間に置いて撮影することができる。また、反射鏡保持部材７Ａ，７Ｂと連結棒１０とはネジ９Ａ，９Ｂによって固定されている。この固定手段はネジ以外であってもよく、これに限定されない。
【００２６】
連結棒１０における上部の反射鏡保持部材７Ａと、前記フック５Ａとの間にはスプリング１１が設けられている。このスプリング１１により、反射鏡保持部材７Ａ又はホルダー５の位置を調節する際に反射鏡保持部材７Ａを支持脚に固定する前に誤って手を放しても、落下した反射鏡保持部材７Ａがホルダー５のネジフック５Ａに直接衝突することなく、衝突の衝撃による反射鏡４Ａ，４Ｂの破損や、反射鏡４Ａ，４Ｂの落下で被写体Ｐを傷付けることを防ぐことができる。
【００２７】
次に、本発明の被写体スタンドの使用状態について説明する。
【００２８】
カメラＢを被写体Ｐから支持台１と水平方向に隔離した場所に固定して設置すると、カメラＢは被写体Ｐの上下に位置する反射鏡４Ａ，４Ｂの一方、あるいは双方に映る像を撮影することができる。
【００２９】
まず、カメラＢを固定した状態で上方に傾けると、所定の角度において、被写体Ｐ上方に位置する反射鏡４Ａに映る像を撮影することができる。また、カメラＢを固定した状態で下方に傾けると、所定の角度において、被写体Ｐ下方に位置する反射鏡４Ｂに映る像を撮影することができる。また、カメラＢを水平方向に向けたまま、反射鏡４Ａ及び４Ｂの被写体台３に対する角度を４５度より小さくしていくと、所定の角度において反射鏡４Ａ及び４Ｂ双方の像をとらえることができる。
【００３０】
次に、反射鏡４Ａを４５度の位置で固定すると、反射鏡４Ａには被写体Ｐの上面の像が映る。この時、カメラＡを反射鏡４Ａのうち撮影部位が映る箇所の中心から支持台１と水平方向に隔離した場所に固定して設置すると、カメラＡは被写体Ｐの上部を直上から撮影したのと同じ像を撮影することができる。同様に、反射鏡４Ｂを４５度の位置で固定し、カメラＡ´を反射鏡４Ｂのうち撮影部位が映る箇所の中心から支持台１と水平方向に隔離した場所に固定して設置すると、カメラＡ´は被写体上部を直下から撮影したのと同じ像を撮影することができる。
【００３１】
以上のように、本発明の被写体スタンドによれば、被写体スタンドとカメラＡ，Ａ´又はＢの間の距離を変更することなく、カメラＢの位置を被写体Ｐと水平な高さに固定した状態でカメラＢのアングルを変える、あるいはカメラＡ又はＡ´の位置を、被写体台３に対して４５度に傾けた反射鏡４Ａ，４Ｂのうち、撮影部位が映る箇所の中心と水平な高さに固定することにより、被写体Ｐを全方向から撮影することが可能となる。
【００３２】
尚、前記構成は一例であり、種々の変形が可能である。例えば、反射鏡保持部材７Ａ、７Ｂ及びホルダー５をワイヤーに取付けて、このワイヤーを支持脚２に設けた滑車を介して移動自在とするとともに、バランスウエイトを設けて移動の制御を行ってもよい。
【図面の簡単な説明】
【００３３】
【図１】本発明の実施形態であり、被写体スタンド及びその前方にカメラを設置した状態を表す図面である。
【符号の説明】
【００３４】
１  支持台
１Ａ  キャスター
２  支持脚
３  被写体台
４Ａ  第一反射鏡
４Ｂ  第二ミ反射鏡
５  ホルダー
５Ａ  ネジフック
６  アーム
７Ａ  第一反射鏡保持部材
７Ｂ  第二反射鏡保持部材
９Ａ，９Ｂ  ネジ
１０  連結棒
１１  スプリング
２０  カメラＢ
２１  カメラＡ
２１´カメラＡ´
【図１】
2005241668.tif 000003